(57)【要約】【課題】保持部の円弧面の径よりも小径の樹脂製パイプであってもその軸線に対して直交状態で確実に切断する。【解決手段】基端側をそれぞれ操作柄部３とした一対の作動片２を回動自在に軸支し、一方の作動片２の先端側に樹脂製パイプＰを切断可能な刃部５を設け、他方の作動片２の先端側に樹脂製パイプＰを収容可能な円弧面を有する保持部６を設けたパイプカッター１において、前記保持部６に、該保持部６の円弧面の径よりも小径の円弧面の内周部７２を有するアダプタ７が着脱自在に設けられている。このため、小径の樹脂製パイプＰをアダプタ７の内周部７２の円弧面に面接触して支持した状態で切断することができる。【選択図】  図１
2007275462.tif 000002
【特許請求の範囲】
【請求項１】
基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、該保持部の円弧面の径よりも小径の円弧面の内周部を有するアダプタが着脱自在に設けられることを特徴とするパイプカッター。
【請求項２】
基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、Ｖ字状に交差する二つの平面部を有するアダプタが着脱自在に設けられることを特徴とするパイプカッター。
【請求項３】
基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、該保持部の内径よりも小径の複数個の円筒面や円弧面を有するアダプタが着脱自在に設けられることを特徴とするパイプカッター。
【発明の詳細な説明】
【技術分野】
【０００１】
この発明は、パイプカッターに関するものである。
【背景技術】
【０００２】
従来より、図６および図７に示すパイプカッター１０が知られており、このパイプカッター１０は、基端側をそれぞれ操作柄部１２とした一対の作動片１１をピン１３を介して回動自在に軸支し、一方の作動片１１の先端側に樹脂製パイプＰを切断可能な刃部１４を設け、他方の作動片１１の先端側に樹脂製パイプＰを収容可能な円弧面１５１を形成した保持部１５を設けて構成されている。そして、保持部１５の円弧面１５１に樹脂製パイプＰを収容した後、一方の作動片１１を他方の作動片１１に対して回動操作することにより、樹脂製パイプＰを保持部１５の円弧面１５１に支持して刃部１４によって切断することができる（例えば、特許文献１参照）。
【特許文献１】特開２００２−９５８７７号公報
【発明の開示】
【発明が解決しようとする課題】
【０００３】
ところで、前述したパイプカッターにおいては、小さな外径の樹脂製パイプから大きな外径の樹脂製パイプを切断できるように、保持部の円弧面の径は、大きな外径の樹脂製パイプに対応して設定されている。このため、小さな外径の樹脂製パイプを保持部の円弧面に収容するとき、上方より見て保持部の円弧面の中心を通る軸心に対して樹脂製パイプの軸心を平行に保持することが難しく、軸心がずれた状態で一方の作動片を他方の作動片に対して回動操作し、刃部によって樹脂製パイプを切断すると、上方より見て軸心に対して傾斜して切断することになる。このように、軸心に対して斜めに切断された樹脂製パイプを継手などに接続すると、漏水につながるおそれがある。
【０００４】
本発明は、このような問題点に鑑みてなされたもので、保持部の円弧面の径よりも小径の樹脂製パイプであってもその軸心に対して直交状態で確実に切断することのできるパイプカッターを提供するものである。
【課題を解決するための手段】
【０００５】
本発明は、基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、該保持部の円弧面の径よりも小径の円弧面の内周部を有するアダプタが着脱自在に設けられることを特徴とするものである。
【０００６】
本発明によれば、保持部にアダプタを装着し、その内周部の径に対応する外径の樹脂製パイプをアダプタの内周部に収容すれば、小径の樹脂製パイプはアダプタの内周部の円弧面に面接触して支持される。次いで、刃部を回動操作すれば、アダプタの内周部の円弧面に心ずれをおこすことなく支持されている小径の樹脂製パイプを切断することができる。
【０００７】
この結果、保持部の内径よりも小径の樹脂製パイプであってもその軸心に対して直交して確実に切断することができる。
【０００８】
本発明は、基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、Ｖ字状に交差する二つの平面部を有するアダプタが着脱自在に設けられることを特徴とするものである。
【０００９】
本発明によれば、保持部にアダプタを装着し、小径の樹脂製パイプをアダプタのＶ字状に交差する二つの平面部にわたって収容すれば、小径の樹脂製パイプは二つの平面部にそれぞれ線接触して支持される。次いで、刃部を回動操作すれば、アダプタの二つの平面部に心ずれをおこすことなく支持されている小径の樹脂製パイプを切断することができる。
【００１０】
この結果、保持部の内径よりも小径の樹脂製パイプであってもその軸心に対して直交して確実に切断することができる。この場合、二つの平面部には、径の異なる複数の樹脂製パイプを支持することができることから、複数の径の樹脂製パイプの切断に使用することができる。
【００１１】
本発明は、基端側をそれぞれ操作柄部とした一対の作動片を回動自在に軸支し、一方の作動片の先端側に樹脂製パイプを切断可能な刃部を設け、他方の作動片の先端側に樹脂製パイプを収容可能な円弧面を有する保持部を設けたパイプカッターにおいて、前記保持部に、該保持部の内径よりも小径の複数個の円筒面や円弧面を有するアダプタが着脱自在に設けられることを特徴とするものである。
【００１２】
本発明によれば、保持部にアダプタを装着し、小径の樹脂製パイプをその径に対応する径の円筒面あるいは円弧面に収容すれば、小径の樹脂製パイプは円筒面あるいは円弧面に面接触して支持される。次いで、刃部を回動操作すれば、アダプタの円筒面あるいは円弧面に心ずれをおこすことなく支持されている小径の樹脂製パイプを切断することができる。
【００１３】
この結果、保持部の内径よりも小径の樹脂製パイプであってもその軸心に対して直交して確実に切断することができる。この場合、複数の円筒面あるいは円弧面が形成されて、径の異なる複数の樹脂製パイプをそれぞれ支持することができることから、径の異なる複数の樹脂製パイプの切断に使用することができる。
【発明の効果】
【００１４】
本発明によれば、保持部の内径よりも小径の樹脂製パイプであってもその軸心に対して直交状態で確実に切断することができる。
【発明を実施するための最良の形態】
【００１５】
以下、本発明の実施の形態を図面に基づいて説明する。
【００１６】
図１および図２には、本発明のパイプカッター１の一実施形態が示されている。
【００１７】
このパイプカッター１は、前述したように、基端側をそれぞれ操作柄部３とした一対の作動片２をピン４を介して回動自在に軸支し、一方の作動片２の先端側に樹脂製パイプＰを切断可能な刃部５を設け、他方の作動片２の先端側に樹脂製パイプＰを収容可能な円弧面６１を形成した保持部６を設けて構成されており、保持部６の左右の円弧面６１には、小径の樹脂製パイプＰを収容可能なアダプタ７を取り付けるための穴６１ａが形成されている。
【００１８】
一方、アダプタ７は、軟質プラスチックによって形成され、保持部６の左右の円弧面６１に形成された穴６１ａにそれぞれ着脱自在な２個を一組とし、住宅の給水給湯配管に使用される直径１３ｍｍの架橋ポリエチレン管などの樹脂製パイプ用をはじめとして種々の外径の樹脂製パイプＰに対応して用意されている。そして、各アダプタ７は、保持部６の円弧面６１の径に対応する径の外周部７１と、小径の樹脂製パイプＰの外径に対応する径の内周部７２とを有するとともに、外周部７１に前述した保持部６に形成された穴６１ａに挿通可能な軸部７３を設けて形成され、内周部７２は、半円よりも大きな優弧の優弧面で形成されている。
【００１９】
このようなアダプタ７は、パイプカッター１の保持部６に形成された穴６１ａに軸部７３を差し込み、その外周部７１を保持部６の円弧面６１に装着することによって使用される。そして、パイプカッター１に取り付けたアダプタ７の開口部周縁を押し広げて、該アダプタ７の内周部７２の径に対応する外径の樹脂製パイプＰを差し込めば、その樹脂製パイプＰをアダプタ７の内周部７２に収容することができる。その後、操作柄部３を把握して、一方の作動片２を他方の作動片２に対して回動操作すれば、刃部５が小径の樹脂製パイプＰを切断することができる。この際、小径の樹脂製パイプＰは、アダプタ７の内周部７２の優弧面に面接触して把持されており、上方より見て樹脂製パイプＰの軸心は、保持部６の円弧面６１の軸心と平行に配置されている。したがって、樹脂製パイプＰは、刃部５によってその軸心に対して確実に直交して切断される。
【００２０】
ところで、前述した実施形態においては、小径の樹脂製パイプＰを把持するため、内周部７２を優弧面としたアダプタ７を例示したが、必ずしも内周部７２を優弧面に形成する必要はない。すなわち、図３に示すように、半円状の円弧面を形成した内周部７２を有するアダプタ７であっても、小径の樹脂製パイプＰを半円状の円弧面の内周部７２に面接触して支持することができることから、樹脂製パイプＰの軸心を保持部６の円弧面６１の軸心からずれることなく支持することができ、樹脂製パイプＰをその軸心に対して確実に直交して切断することができる。
【００２１】
また、図４に示すように、円弧面を有する内周部７２に代えて、略直交する二つの平面部７４，７４を形成したアダプタであっても、小径の樹脂製パイプＰを平面部７４，７４に線接触して支持することができることから、樹脂製パイプＰの軸心を保持部６の円弧面６１の軸心からずれることなく支持することができ、樹脂製パイプＰをその軸心に対して確実に直交して切断することができる。この実施形態の場合、樹脂製パイプＰの外径が変化してもアダプタ７を交換することなく対応して支持することができる利点がある。
【００２２】
さらに、図５に示すように、径の異なる複数の円筒面や円弧面を形成したシリンダー状のアダプタ７を利用することもできる。このアダプタ７は、保持部６の側方にピン６２を介して回転自在に軸支され、ピン６２の中心から各円筒面や各円弧面までの距離は、ピン６２の中心から保持部６の円弧面６１までの距離に一致するように設定されている。このため、各円筒面や円弧面にその径に対応する外径の樹脂製パイプＰを挿通して収容し、あるいは、装着して収容した際、樹脂製パイプＰは、アダプタ６の円筒面や円弧面に面接触して支持されるとともに、該円筒面や円弧面に連続して保持部６の円弧面６１にも支持されるようになっており、樹脂製パイプＰの心ずれを防止して切断することができる。この実施形態の場合も、樹脂製パイプＰの外径が変化してもアダプタ７を交換することなく対応して支持することができる利点がある。
【産業上の利用可能性】
【００２３】
以上のように本発明によれば、樹脂製パイプをその軸心に対して確実に直交して切断することができることから、誤って軸心に対して斜めに切断された樹脂製パイプを使用することによる漏水などの事態を防止することができるものとなる。
【図面の簡単な説明】
【００２４】
【図１】本発明のパイプカッターの一実施形態を示す斜視図である。
【図２】図１のパイプカッターの分解斜視図である。
【図３】本発明のパイプカッターの他の実施形態を示す分解斜視図である。
【図４】本発明のパイプカッターのもう一つの実施形態を示す分解斜視図である。
【図５】本発明のパイプカッターのもう一つの他の実施形態を示す分解斜視図である。
【図６】従来のパイプカッターを示す斜視図である。
【図７】図６のパイプカッターの分解斜視図である。
【符号の説明】
【００２５】
１  パイプカッター
２  作動片
３  操作柄部
５  刃部
６  保持部
６１  円弧面
７  アダプタ
７１  外周部
７２  内周部
７３  軸部
７４  平面部
【図１】
2007275462.tif 000003
【図２】
2007275462.tif 000004
【図３】
2007275462.tif 000005
【図４】
2007275462.tif 000006
【図５】
2007275462.tif 000007
【図６】
2007275462.tif 000008
【図７】
2007275462.tif 000009